(57)【要約】      （修正有）【課題】釣り糸を緩めることなく巻きつけて、かつ釣り針や釣り糸をからませることなく確実に保持でき、また釣り糸に巻きぐせが付かない仕掛け針巻取り具を提供する。【解決手段】２枚の円板１，２の間を、円板１，２の円周方向に間隔をあけて配置された多数本の結合ピン３で連結した巻取具本体と、結合ピン３に取付けられた仕切り４ａとからなり、仕切り４ａによって巻取具本体が糸巻き部と針掛け部に分かれている。糸巻き部も針掛け部も円周方向に配置された多数本の結合ピン３で円筒状であるため、糸巻き部に巻き掛けられた釣り糸には強い曲げぐせが生ずることはない。また、針掛け部は糸巻き部の直ぐ横に隣接しており、かつ多数本の結合ピン３を有するので、針を引っ掛けるのに釣り糸が緩むようなこともなく、他の糸とのからみも生じないようにできる。【選択図】図１
0003181576.tif 000002
【実用新案登録請求の範囲】
【請求項１】
２枚の円板と、該２枚の円板の間で円周方向に間隔をあけて配置された多数本の針掛け材とを備えた巻取具本体と、前記２枚の円板の間に設けられた仕切りとからなり、
該仕切りによって前記巻取具本体が糸巻き部と針掛け部に分かれている
ことを特徴とする仕掛け針巻取り具。
【請求項２】
前記針掛け材が、前記２枚の円板の間に取付けられた結合ピンである
ことを特徴とする請求項１記載の仕掛け針巻取り具。
【請求項３】
前記針掛け材が、前記２枚の円板の間に張設された釣り糸である
ことを特徴とする請求項１記載の仕掛け針巻取り具。
【請求項４】
前記仕切りが、円形の板であり、該円形の板の直径が前記２枚の円板の直径より小さい
ことを特徴とする請求項１記載の仕掛け針巻取り具。
【請求項５】
前記仕切りが、多数本のピンであり、半径方向外側に延びるように設けられている
ことを特徴とする請求項１記載の仕掛け針巻取り具。
【考案の詳細な説明】
【技術分野】
【０００１】
本考案は、仕掛け針巻取り具に関する。
【背景技術】
【０００２】
本考案において仕掛け針Ｓとは、図７に示すように釣り糸ｆｌに複数本の釣り針ｆｈを取付けた魚釣り用の仕掛けをいう。なおｆｗは重りである。
仕掛け針Ｓは、釣りたい魚の種類に応じて糸の太さや針の太さや形が異なるものなので、魚釣りの現場において、適切な仕掛け針Ｓを選択して使用することになる。したがって、釣りをする人は、複数の仕掛け針Ｓを持参して釣り現場に行くことが多い。
【０００３】
このような用い方をする仕掛け針Ｓは、多数の釣り針ｆｈが付いたものなので、物に引っ掛けたりすることなく、また手指を傷つけずに扱うため、従来より巻取り具に巻き取っておいて、できるだけ便利で安全に使えるよう工夫されている。
【０００４】
従来より最も一般的に用いられてきた巻取り具は、図６に示すようなものであった。
左右一対の木の枠木１０１、１０２を２本の細い棒１０３，１０４で連結して長四角形の枠組みに構成され、一方の枠木１０１には糸を巻き付けた針掛け１０５を複数個所取付けている。図７に示すような仕掛け糸を巻付けるときは、２本の横棒１０３，１０４に釣り糸ｆｌを何重にも巻き付け釣り針ｆｈを横に引き出しては針掛け１０５に引っ掛けておかれる。
【０００５】
しかるに、端に位置する釣り針ｆｈｅが横棒１０３の近くに至るときは、横棒１０３に巻きかけることもできず、かといって糸を緩めて近くの針掛け１０５に引っかけると釣り糸が緩んでしまって他の糸とからんでしまうという問題がある。
また、横棒１０３，１０４に巻きかけられた釣り糸ｆｌには、強い巻きぐせがついて、使用中に釣り糸が真直ぐに張らないので、食い付きの瞬間が分りにくいという問題もある。
【０００６】
釣り糸ｆｌのからみや釣り針ｆｈの引っ掛けを解消する他の従来技術としては、特許文献１のものがある。
この従来技術は、本体ケースに、回転可能に支持された巻取り部材と釣り針を保持する針保持部材とを設けたものである。針保持部材は、針の端部を保持すると共に釣り糸を導出させる保持孔を有している。
この従来技術によると、針や釣り糸のからみは解消されやすいが、非常に複雑な構造をもつものなので、高コストになってしまうという欠点がある。
【先行技術文献】
【特許文献】
【０００７】
【特許文献１】特開２０００−３３３５７９号公報
【考案の概要】
【考案が解決しようとする課題】
【０００８】
本考案は上記事情に鑑み、釣り糸を緩めることなく巻きつけて、かつ釣り針や釣り糸をからませることなく確実に保持することができ、また釣り糸に巻きぐせが付かない仕掛け針巻取り具を提供することを目的とする。
【課題を解決するための手段】
【０００９】
第１考案の仕掛け針巻取り具は、２枚の円板と、該２枚の円板の間で円周方向に間隔をあけて配置された多数本の針掛け材とを備えた巻取具本体と、前記２枚の円板の間に設けられた仕切りとからなり、該仕切りによって前記巻取具本体が糸巻き部と針掛け部に分かれていることを特徴とする。
第２考案の仕掛け針巻取り具は、第１考案において、前記針掛け材が、前記２枚の円板の間に取付けられた結合ピンであることを特徴とする。
第３考案の仕掛け針巻取り具は、第１考案において、前記針掛け材が、前記２枚の円板の間に張設された釣り糸であることを特徴とする。
第４考案の仕掛け針巻取り具は、第１考案において、前記仕切りが、円形の板であり、該円形の板の直径が前記２枚の円板の直径より小さいことを特徴とする
第５考案の仕掛け針巻取り具は、第１考案において、前記仕切りが、多数本のピンであり、半径方向外側に延びるように設けられていることを特徴とする。
【考案の効果】
【００１０】
第１考案によれば、糸巻き部も針掛け部も円周方向に配置された多数本の針掛け材で円筒状に構成されている。このため、糸巻き部に巻き掛けられた釣り糸には強い曲げぐせが生ずることはない。また、針掛け部は糸巻き部の直ぐ横に隣接しており、かつ多数本の針掛け材を有するので、最も近い針掛け材を選択することにより釣り糸が緩まないように針を引っ掛けることができ、他の糸とのからみも生じないようにできる。
第２考案によれば、針掛け材である結合ピンが２枚の円板を互いに結合する部材となっているので、部品点数が少ないものでありながら、高強度な巻取り具に構成できる。
第３考案によれば、針掛け材が釣り糸であるので、安価で軽量な巻取り具に構成できる。
第４考案によれば、仕切りが円形の板であるので、多数本の結合ピンの中間部がしっかりと支えられ、強度の高い巻取り具となる。
第５考案によれば、仕切りがピンであると隣接するピンの間が空いているので、針や釣り糸を通しやすく扱いやすい巻取り具となる。
【図面の簡単な説明】
【００１１】
【図１】本考案の第１実施形態に係る仕掛け針巻取り具の斜視図である。
【図２】（Ａ）は図１の仕掛け針巻取り具Ａの正面図、（Ｂ）は同側面図である。
【図３】図１の仕掛け針巻取り具Ａの使用状態説明図である。
【図４】本考案の第２実施形態に係る仕掛け針巻取り具Ｂの図であり、（Ａ）は正面図、（Ｂ）は側面図である。
【図５】本考案の第３実施形態に係る仕掛け針巻取り具Ｃの図であり、（Ａ）は正面図、（Ｂ）は側面図である。
【図６】従来の仕掛け針巻取り具の説明図である。
【図７】魚釣り用の仕掛け針の説明図である。
【考案を実施するための形態】
【００１２】
つぎに、本考案の実施形態を図面に基づき説明する。
図１および図２に基づき第１実施形態の巻取り具Ａを説明する。
巻取り具Ａは、２枚の円板１，２と、その間を連結する多数の結合ピン３と、結合ピン３に取付けられた仕切り４とからなる。
【００１３】
２枚の円板１，２は真円の板はもちろん、多少楕円になったものや、円に近い多角形のものでもよい。また、中心部に孔があいていてもよい。孔があいていると、手指を差し込めるので巻取り具Ａを保持しやすくなる。
材料は、プラスチック材など任意の材料をとくに制限なく用いることができる。
【００１４】
結合ピン３は多数本が用いられ、２枚の円板１，２の内面において円周方向に互いに間隔をあけて取付けられている。結合ピン３の取付けは円板１，２に孔をあけて差し込み、さらに溶着する手法のほか、任意の方法を採用してもよい。
この多数本の結合ピン３は円周方向に取付けられることによって、巻取り具Ａは鼓状または円筒状の形態をとることとなっている。
この結合ピン３は針掛け材であると共に、２枚の円板１，２を結合する構造部材も兼ねている。
【００１５】
各結合ピン３の幅方向中間部には仕切りとなる仕切板４ａが取付けられている。この仕切り板４ａは、その直径が外側の円板１，２の直径より小さいものである。
この仕切り板４ａは、結合ピン３部分を糸巻き部５と針掛け部６に二分している。図３では糸巻き部５が右、針掛け部６が左であるが、左右反対であってもよい。
本実施形態は、仕切りが円形の板であるので、多数本の結合ピン３の中間部がしっかりと支えられ、強度の高い巻取り具となる。
【００１６】
図３に基づき、使用方法を説明する。
糸巻き部５には釣り糸ｆ１を巻きつける。糸巻き部５は円筒形であるので、釣り糸ｆ１に強い巻きぐせが付くことはない。
針掛け部６には釣り針ｆｈを引っ掛けておく。針掛け材である結合ピン３は沢山あるので、どの釣り針ｆｈも引っ掛け場所が無くなることはない。また、従来技術（図５参照）のように端で釣り針が折り返せないという不都合も生じない。さらに、仕切り板４ａは高さが低いので糸巻き部５から取り出した糸が乗り越えやすくなっている。
【００１７】
つぎに、本考案の第２実施形態に係る巻取り具Ｂを説明する。
図４に示すように、本実施形態は、仕切りとしてピンを用いたものである。仕切りピン４ｂは、各結合ピン３に立設されており、半径方向外側に延びている。この仕切りピン４ｂで、糸巻き部と針掛け部に分けられている。
【００１８】
本実施形態の使用方法は前記第１実施形態と同様である。
本実施形態では、隣接するピンの間が空いているので、針や釣り糸を通しやすく扱いやすい巻取り具となる。さらに、糸巻き部５は円筒形であるので、釣り糸ｆ１に強い巻きぐせが付くことはなく、針掛け材である結合ピン３は沢山あるので、どの釣り針ｆｈも引っ掛け場所が無くなることはない。
【００１９】
つぎに、本考案の第３実施形態に係る巻取り具Ｃを説明する。
図５に示すように、本実施形態は、針掛け材として釣り糸７を用いたものである。釣り糸７は２枚の円板１，２の間を渡し掛けるように張設され、渡し掛けた個所は円周方向で間隔をあけて多数個所存在している。このため、糸巻き部５は円筒形となっている。
【００２０】
仕切りには第２実施形態と同様の仕切りピン４ｂが設けられている。また、仕切りピン４ｂを立設するため、円筒状の結合筒８が設けられている。なお、この結合筒８は２枚の円板１，２を結合する構造部材でもある。
【００２１】
第３実施形態において、仕切りピン４ｂを用いる代りに仕切り板４ａを用いてもよい。
【００２２】
本実施形態の使用方法は前記第２実施形態と同様であり、かつ糸巻き部５は円筒形であるので、釣り糸ｆ１に強い巻きぐせが付くことはなく、針掛け材である釣り糸７は沢山あるので、どの釣り針ｆｈも引っ掛け場所が無くなることはない。
【００２３】
本考案の上記各実施形態によれば、糸巻き部５に巻き掛けられた釣り糸には強い曲げぐせが生ずることはない。このため、使用中に釣り糸が真直ぐに張らないので、食い付きの瞬間が分る。また、針掛け部６は糸巻き部５の直ぐ横に隣接しており、かつ多数本の針掛け材を有するので、針を引っ掛けるのに釣り糸が緩むようなこともなく、他の糸とのからみも生じないようにできる。
【符号の説明】
【００２４】
１，２  円板  
３      結合ピン
４ａ    仕切り板
４ｂ    仕切りピン
５      糸巻き部
６      針掛け部
７      釣り糸
【図１】
0003181576.tif 000003
【図２】
0003181576.tif 000004
【図３】
0003181576.tif 000005
【図４】
0003181576.tif 000006
【図５】
0003181576.tif 000007
【図６】
0003181576.tif 000008
【図７】
0003181576.tif 000009